(57)【要約】【課題】  複数のデータ処理を一連で実行しなければならない場合に操作性が分かりにくかった。【解決手段】  デジタルスチルカメラ１１ｂで撮影した画像データを用いて所望の印刷を行うというようにいくつかのデータ処理を連続して実行していかなければならない場合、ファイルメニューなどを駆使して必要な順序でデータ処理を選択していくのは非熟練者にとって困難であるが、ディスプレイ１７ａの表示エリアを操作表示エリアＳ１と主表示エリアＳ２とに区分した上、操作表示エリアＳ１には必要な順序に並べたタブ表示で各データ処理を表示するようにしつつ、対応するデータ処理を隣接する主表示エリアに表示するようにしたので、初心者でも間違えることなく簡単に一連のデータ処理を実行して所望の印刷結果を得ることができるようになる。【選択図】  図１
2006294015.tif 000002
【特許請求の範囲】
【請求項１】
複数のデータ群について一連の関連するデータ処理を実行するデータ処理手段と、
一の表示領域内を主表示エリアと操作表示エリアとに区分して表示する表示手段と、
この表示手段における操作表示エリアで上記一連のデータ処理をその流れにそって並べて表示しつついずれかのデータ処理を選択する操作を受け付けるとともに、同操作にて選択されたデータ処理を実行させつつ処理中のデータ処理を強調表示する手続流れ選択表示手段と、
上記表示手段における主表示エリアで現在の処理中のデータ処理に必要な情報を表示する処理内容表示手段とを具備することを特徴とするデータ処理装置。
【請求項２】
上記請求項１に記載のデータ処理装置において、上記手続流れ選択表示手段は、上記操作表示エリアにて上記主表示エリアに連結するタブ表示で上記データ処理の内容を表示するとともに、同タブ表示間に矢印表示で手続の流れを表示することを特徴とするデータ処理装置。
【請求項３】
上記請求項２に記載のデータ処理装置において、上記手続流れ選択表示手段は、上記データ処理手段での処理中のデータ処理を強調表示するにあたり上記タブ表示を拡大表示することを特徴とするデータ処理装置。
【請求項４】
上記請求項１〜請求項３のいずれかに記載のデータ処理装置において、
上記データ処理手段は、画像データに基づいて印刷処理を行うにあたり、
複数の画像データの記憶、変更、削除などの管理を行う画像データ管理手段と、
この画像データ管理手段にて管理されている画像データの中から印刷対象とする画像データを指定する印刷対象指定手段と、
印刷対象として指定された画像データに画像処理を施す画像修整手段と、
印刷対象の画像データを所定のレイアウトとして印刷データを生成する印刷データ生成手段とを具備することを特徴とするデータ処理装置。
【請求項５】
上記請求項４に記載のデータ処理装置において、
上記画像データ管理手段は、上記画像データをグループ化して管理するとともに、
上記処理内容表示手段は、上記主表示エリアで当該画像データ管理手段のデータ処理に必要な情報を表示する際に、上記主表示エリア内をグループ表示領域と画像表示領域とに分け、同グループ表示領域にて上記グループを識別可能に表示しつついずれかを選択状態として表示可能であるとともに、上記画像表示領域にて同選択状態とされたグループに属する画像データについてその選択の有無とともに表示することを特徴とするデータ処理装置。
【請求項６】
上記請求項４または請求項５のいずれかに記載のデータ処理装置において、
上記画像修整手段は、処理対象とする画像データに対して画像処理を実施した画像と未実施の画像とを並べて並べて表示して画像処理の実施を選択させることを特徴とするデータ処理装置。
【請求項７】
一の表示領域内にて必要な情報を表示しながら複数のデータ群について一連の関連するデータ処理を実行するデータ処理方法であって、
上記表示領域内を主表示エリアと操作表示エリアとに区分し、この操作表示エリアで上記一連のデータ処理をその流れにそって並べて表示するとともに処理中のデータ処理を強調表示し、上記主表示エリアで現在の処理中のデータ処理に必要な情報を表示することを特徴とするデータ処理方法。
【請求項８】
コンピュータにて一の表示領域内にて必要な情報を表示しながら複数のデータ群について一連の関連するデータ処理を行う機能をコンピュータに実行させるデータ処理プログラムを記録した媒体であって、
複数のデータ群について一連の関連するデータ処理を実行するデータ処理機能と、
一の表示領域内を主表示エリアと操作表示エリアとに区分して表示する表示制御機能と、
この表示制御機能によって表示される操作表示エリアで上記一連のデータ処理をその流れにそって並べて表示しつついずれかのデータ処理を選択する操作を受け付けるとともに、同操作にて選択されたデータ処理を実行させつつ処理中のデータ処理を強調表示する手続流れ選択表示機能と、
上記表示制御機能によって表示される上記主表示エリアで現在の処理中のデータ処理に必要な情報を表示する処理内容表示制御機能とをコンピュータに実行させることを特徴とするデータ処理プログラムを記録した媒体。
【発明の詳細な説明】
【技術分野】
【０００１】
この発明は、データ処理装置、データ処理方法およびデータ処理プログラムを記録した媒体に関する。
【背景技術】
【０００２】
従来、この種のデータ処理装置として、コンピュータ上にて画像データを読み込んで修整を施したり、印刷処理したりするものが知られている。
【０００３】
この場合、コンピュータにて画像処理アプリケーションを実行し、操作者は各種の操作を選択する。例えば、デジタルスチルカメラで数枚の写真を撮影しておいたとすると、まず、複数の画像データのうちいずれかを選択する操作をして処理の対象とするものを特定する。このような選択操作は、アプリケーションのファイルメニューから画像ファイルを開く操作を行い、画像データの所在を選択した後で同じ所在にある画像データの中からいずれかを選択する。
【０００４】
次に、その画像データに対して明るさを補正したり、特定の成分を強調したり、フィルタを掛けるといった画像処理を実行させる。このような画像処理は直に画像データを書き換えるか、あるいは一時的にオリジナルを保存しておいて仮の画像データを生成して最後にファイルメニューで保存を選択した際に書き換えられる。
【０００５】
画像処理後、ファイルメニューから印刷を選択するとともに、余白を指定したり、張り付け場所を中央にするのか左隅にするのかといったことを選択して印刷処理させる。すると、所定の画像処理を実行した画像データをカラープリンタなどの印刷装置にて入力可能な印刷データに変換して生成する。
【発明の開示】
【発明が解決しようとする課題】
【０００６】
上述した従来のデータ処理装置においては、操作性が分かりにくいという課題があった。例えば、予め撮影しておいた画像データを印刷したいだけであったとしても、アプリケーションのファイルメニューで目指す画像データを探し出して開かねばならず、さらに画像データを開いたものの暗すぎるなどの事情で補正を実行しなければならないとすると、どの程度の画像処理をするかは試行錯誤でパラメータなどを設定しなければならない。そして、目指す程度の補正が行われたら印刷処理を実現して初めて印刷される。
【０００７】
この操作の流れは熟練者にとっては容易であるものの、非熟練者にしてみれば、印刷したいならとりあえずファイルメニューから印刷操作を見つけて実行してしまうことも多い。この場合、画像データが選択されていないので、当然印刷はされない。また、印刷するときに一枚の用紙に複数の写真を印刷したいと思うときにはどこで指定するかも分かりにくい。あるアプリケーションの場合は印刷操作の中のオプションを選択するものもあるし、分かりやすいようにとの配慮のもとでタック印刷であるとか葉書印刷といった特別の印刷メニューを用意しているかもしれない。しかしながら、後者のような配慮は操作を全て覚えなければ実行できないというように、逆に操作性を悪くすることになりかねない。
【０００８】
本発明は、上記課題にかんがみてなされたもので、データの操作に一定の順序が必要であるというような場合に操作しやすくすることが可能なデータ処理装置、データ処理方法およびデータ処理プログラムを記録した媒体の提供を目的とする。
【課題を解決するための手段】
【０００９】
上記目的を達成するため、請求項１にかかる発明は、複数のデータ群について一連の関連するデータ処理を実行するデータ処理手段と、一の表示領域内を主表示エリアと操作表示エリアとに区分して表示する表示手段と、この表示手段における操作表示エリアで上記一連のデータ処理をその流れにそって並べて表示しつついずれかのデータ処理を選択する操作を受け付けるとともに、同操作にて選択されたデータ処理を実行させつつ処理中のデータ処理を強調表示する手続流れ選択表示手段と、上記表示手段における主表示エリアで現在の処理中のデータ処理に必要な情報を表示する処理内容表示手段とを具備する構成としてある。
【００１０】
上記のように構成した請求項１にかかる発明においては、データ処理手段にて複数のデータ群について一連の関連するデータ処理を実行可能となっており、そのデータ処理時に必要な情報などを表示手段にて表示することになるが、この場合の表示手段は一の表示領域内を主表示エリアと操作表示エリアとに区分して表示できるようになっている。そして、本来のデータ処理に関しては、処理内容表示手段が上記主表示エリアで現在の処理中のデータ処理に必要な情報を表示する。一方、手続流れ選択表示手段は、このような操作表示エリアにおいて一連のデータ処理をその流れにそって並べて表示しており、また、そのうちのいずれかのデータ処理を選択する操作を受け付けられるようになっている。そして、同操作にてデータ処理を選択したときにはこれを実行させ、処理中となっているデータ処理を強調表示する。すなわち、操作の手順どおりにデータ処理が並べて表示され、かつ、現在実施しているデータ処理も強調表示されるので、その流れに沿って順番に操作を実行させていくことになる。この場合、全体の流れの中で操作中のデータ処理が何にあたるかというのも強調表示によって明確である。
【００１１】
すなわち、一つの表示領域内における主となるエリアでデータ処理に必要な情報を表示し、同じ表示領域内で別に設けられているエリアではデータ処理の流れを併せて表示することになる。
【００１２】
ここで表示手段は一つの表示領域を区分して表示することにより、それぞれが互いに関連性を有するものとして視認できるようにすることを意味しており、互いに関連性を有している表示であればウィンドウ表示のような複数の表示領域であっても実質的に区分けして表示しているものといえる。
【００１３】
また、処理内容表示手段は主表示エリアで現在の処理中のデータ処理に必要な情報を表示するが、かかる表示内容はデータ処理手段に応じて適宜変更可能である。むろん、単なる表示にとどまらず、選択操作や入力操作なども含めて表示できるものであってもよい。
【００１４】
さらに、手続流れ選択表示手段は操作表示エリアで一連のデータ処理をその流れにそって並べて表示するという特徴を有している。かかる表示は実質的には各種の手法で実現可能であり、その一例として、請求項２にかかる発明は、請求項１に記載のデータ処理装置において、上記手続流れ選択表示手段は、上記操作表示エリアにて上記主表示エリアに連結するタブ表示で上記データ処理の内容を表示するとともに、同タブ表示間に矢印表示で手続の流れを表示する構成としてある。
【００１５】
上記のように構成した請求項２にかかる発明においては、タブ表示を利用する。すなわち、操作表示エリアと主表示エリアとが隣接しており、この主表示エリアに連結するようにタブ表示し、さらにこのタブにデータ処理の内容を表示する。また、複数のデータ処理が行われるのであるから当然にタブも複数が表示され、その際に一連のデータ処理の流れにそってこれらのタブが並べて表示される。むろん、これだけでも手続の流れが分からなくはないが、さらにタブ表示間に矢印表示を行うことにより、より一層手続の流れが明らかになる。
【００１６】
このようなタブ表示を利用する場合の強調表示は必ずしも限定されるものではないが、その一例として、請求項３にかかる発明は、請求項２に記載のデータ処理装置において、上記手続流れ選択表示手段は、上記データ処理手段での処理中のデータ処理を強調表示するにあたり上記タブ表示を拡大表示する構成としてある。
【００１７】
上記のように構成した請求項３にかかる発明においては、処理中のデータ処理を表すタブ表示を拡大表示するため、他のタブと比較して大きくなることによって区別できるほか、二次元表現の中での拡大表示は前面にせり出る間隔を生じさせ、処理の移り変わりを体感させることになる。
【００１８】
データ処理手段は一連のデータ処理を行うものについて広く適用可能であり、その一例として、請求項４にかかる発明は、請求項１〜請求項３のいずれかに記載のデータ処理装置において、上記データ処理手段は、画像データに基づいて印刷処理を行うにあたり、複数の画像データの記憶、変更、削除などの管理を行う画像データ管理手段と、この画像データ管理手段にて管理されている画像データの中から印刷対象とする画像データを指定する印刷対象指定手段と、印刷対象として指定された画像データに画像処理を施す画像修整手段と、印刷対象の画像データを所定のレイアウトとして印刷データを生成する印刷データ生成手段とを具備する構成としてある。
【００１９】
上記のように構成した請求項４にかかる発明においては、データ処理手段が画像データに基づいて印刷処理を行う。この場合、画像データ管理手段にて、複数の画像データの記憶、変更、削除などの管理を行っており、印刷対象指定手段にて印刷対象とする画像データを指定した後、画像修整手段によってこの画像データに画像処理を施し、印刷データ生成手段は印刷対象の画像データを所定のレイアウトとして印刷データを生成する。
【００２０】
ところで、複数の画像データがある場合に、データの処理の流れに加えてどの画像データについて画像処理をしようとしているのかが錯綜して分かりにくくなる。そのような場合に好適な一例として、請求項５にかかる発明は、請求項４に記載のデータ処理装置において、上記画像データ管理手段は、上記画像データをグループ化して管理するとともに、上記処理内容表示手段は、上記主表示エリアで当該画像データ管理手段のデータ処理に必要な情報を表示する際に、上記主表示エリア内をグループ表示領域と画像表示領域とに分け、同グループ表示領域にて上記グループを識別可能に表示しつついずれかを選択状態として表示可能であるとともに、上記画像表示領域にて同選択状態とされたグループに属する画像データについてその選択の有無とともに表示する構成としてある。
【００２１】
上記のように構成した請求項５にかかる発明においては、上記画像データ管理手段が上記画像データをグループ化して管理することができるようになっており、これに対応して上記主表示エリア内をグループ表示領域と画像表示領域とに分け、同グループ表示領域にて上記グループを識別可能に表示する。例えば、複数の機会に撮影された画像データをその機会毎に区分してグループ化したとすると、このグループ表示領域ではそのように区分したグループ自体を表示する。この場合、ネガのような実体を有しない画像データを写真のフィルムのように考えてフィルムを表す表示としても良い。
【００２２】
グループ表示領域でどのグループが選択されているかが表示された状態で、主表示エリア内における残りの画像表示領域では、同選択状態とされたグループに属する画像データについてその選択の有無とともに表示する。
【００２３】
この場合、タブ表示を頼ってデータ処理の流れの中の位置づけが分かるし、その中の位置づけとしてどの画像データが選択対象となっているのかが表示されることになるので、データの処理の流れと選択対象の画像データとは対象となる画像データについても選択されているのか否かが分かる。
【００２４】
また、画像データを扱うにあたってデータ処理を経る一つのメリットとして容易に画像の修整が可能である点が挙げられる。しかしながら、画像処理の機能が高機能となればなるほど何をすればよいのかは分かりにくくなり、使い勝手も減少する。特に、画像修整を単体の処理として行う場合には大きな混乱が生じないものの、さらにデータ処理に流れがあるとすれば、どの時点でどの処理を選択すれば良く、その結果がデータ処理に反映されるのか否かも分かりにくくなってくる。このため、請求項６にかかる発明は、請求項４または請求項５のいずれかに記載のデータ処理装置において、上記画像修整手段は、処理対象とする画像データに対して画像処理を実施した画像と未実施の画像とを並べて並べて表示して画像処理の実施を選択させる構成としてある。
【００２５】
上記のように構成した請求項６にかかる発明においては、画像処理を実施した画像と未実施の画像とが並べて表示されるので、その比較から所望のものを選べばよい。
【００２６】
このように、一つの表示領域内における主となるエリアでデータ処理に必要な情報を表示し、同じ表示領域内で別に設けられているエリアではデータ処理の流れを併せて表示する手法は必ずしも実体のある装置に限られる必要はなく、その方法としても機能することは容易に理解できる。このため、請求項７にかかる発明は、一の表示領域内にて必要な情報を表示しながら複数のデータ群について一連の関連するデータ処理を実行するデータ処理方法であって、上記表示領域内を主表示エリアと操作表示エリアとに区分し、この操作表示エリアで上記一連のデータ処理をその流れにそって並べて表示するとともに処理中のデータ処理を強調表示し、上記主表示エリアで現在の処理中のデータ処理に必要な情報を表示する構成としてある。
【００２７】
すなわち、必ずしも実体のある装置に限らず、その方法としても有効であることに相違はない。
【００２８】
ところで、このようなデータ処理装置は単独で存在する場合もあるし、ある機器に組み込まれた状態で利用されることもあるなど、発明の思想としてはこれに限らず、各種の態様を含むものである。従って、ソフトウェアであったりハードウェアであったりするなど、適宜、変更可能である。
【００２９】
発明の思想の具現化例としてデータ処理装置のソフトウェアとなる場合には、かかるソフトウェアを記録した記録媒体上においても当然に存在し、利用されるといわざるをえない。
【００３０】
その一例として、請求項８にかかる発明は、ココンピュータにて一の表示領域内にて必要な情報を表示しながら複数のデータ群について一連の関連するデータ処理を行う機能をコンピュータに実行させるデータ処理プログラムを記録した媒体であって、複数のデータ群について一連の関連するデータ処理を実行するデータ処理機能と、一の表示領域内を主表示エリアと操作表示エリアとに区分して表示する表示制御機能と、この表示制御機能によって表示される操作表示エリアで上記一連のデータ処理をその流れにそって並べて表示しつついずれかのデータ処理を選択する操作を受け付けるとともに、同操作にて選択されたデータ処理を実行させつつ処理中のデータ処理を強調表示する手続流れ選択表示機能と、上記表示制御機能によって表示される上記主表示エリアで現在の処理中のデータ処理に必要な情報を表示する処理内容表示制御機能とをコンピュータに実行させる構成としてある。
【００３１】
むろん、その記録媒体は、磁気記録媒体であってもよいし光磁気記録媒体であってもよいし、今後開発されるいかなる記録媒体においても全く同様に考えることができる。また、一次複製品、二次複製品などの複製段階については全く問う余地無く同等である。その他、供給方法として通信回線を利用して行なう場合でも本発明が利用されていることにはかわりない。
さらに、一部がソフトウェアであって、一部がハードウェアで実現されている場合においても発明の思想において全く異なるものではなく、一部を記録媒体上に記憶しておいて必要に応じて適宜読み込まれるような形態のものとしてあってもよい。
【発明の効果】
【００３２】
以上説明したように本発明は、操作表示エリアで一連のデータ処理をその流れにそって並べて表示しつついずれかを選択してデータ処理を実行させるようにし、一般には複雑に思われるデータ処理を本来の流れに沿って容易に実行できるようにすることが可能なデータ処理装置を提供することができる。
また、請求項２にかかる発明によれば、操作表示エリアでタブ表示とすることによって、主表示エリアのイメージがあたかも重ね合わせられているように見え、それをタブによって容易に選択できるように感じられる。
さらに、請求項３にかかる発明によれば、他の表示に対して敢えて強調表示するだけにとどめることにより、一連の流れをとぎらせることなく、現在の処理を確実に認識できるようになる。
さらに、請求項４にかかる発明によれば、近年要望の高い画像データを印刷する過程において作業の流れが極めて分かりやすくなる。
さらに、請求項５にかかる発明によれば、主表示エリア内をさらにグループ表示領域と画像表示領域とに分けることにより、画像データの扱いをさらに容易にすることができる。
通常であれば画像処理の中身が何であるか分かっていなければ敢えていずれかの画像処理を実行させるという操作は選択しにくいが、請求項６にかかる発明によれば、画像処理の前後を並べて表示することにより、画像処理を実行させるか否かを極めて簡易に判断できるようになる。
さらに、請求項７にかかる発明によれば、同様の効果を奏するデータ処理方法を提供でき、請求項８にかかる発明によれば、データ処理プログラムを記録した媒体を提供できる。
【発明を実施するための最良の形態】
【００３３】
以下、図面にもとづいて本発明の実施形態を説明する。
図１は、本発明の一実施形態にかかるデータ処理装置をクレーム対応図により示している。
デジタルスチルカメラなどで撮影した画像データは、コンピュータなどの外部記憶装置などを利用して管理され、画像処理や印刷処理を施されることになるが、このような一連のデータ処理をデータ処理手段Ａ１が実行する。一方、コンピュータにはディスプレイが接続されて各種の表示を行うが、その表示には処理内容の表示もあれば操作の表示もあり、表示手段Ａ２はその表示領域内を主表示エリアと操作表示エリアとに区分して表示する。コンピュータは人間の操作に対応して処理を実行すべく、操作入力を必要とするが、手続流れ表示手段Ａ３が上記操作表示エリアにてデータ処理をその流れにそって並べて表示しつつ、いずれかのデータ処理を選択する操作を受け付け、同操作にて選択されたデータ処理を上記データ処理手段Ａ１に実行させる。すると、処理内容表示手段Ａ４は上記データ処理手段Ａ１の実行にともなって必要な情報を主表示エリアに表示する。
【００３４】
本実施形態においてはこのようなデータ処理装置を実現するハードウェアの一例として図２に示すコンピュータシステム１０を採用している。
本コンピュータシステム１０は、画像データを直接的に入力する画像入力デバイスとして、スキャナ１１ａとデジタルスチルカメラ１１ｂとビデオカメラ１１ｃとを備えており、コンピュータ本体１２に接続されている。それぞれの入力デバイスは画像をドットマトリクス状の画素で表現した画像データを生成してコンピュータ本体１２に出力可能となっており、ここで同画像データはＲＧＢの三原色においてそれぞれ２５６階調表示することにより、約１６７０万色を表現可能となっている。
【００３５】
コンピュータ本体１２には、外部補助記憶装置としてのフロッピーディスクドライブ１３ａとハードディスク１３ｂとＣＤ−ＲＯＭドライブ１３ｃとが接続されており、ハードディスク１３ｂにはシステム関連の主要プログラムが記録されており、フロッピーディスクやＣＤ−ＲＯＭなどから適宜必要なプログラムなどを読み込み可能となっている。
【００３６】
また、コンピュータ本体１２を外部のネットワークなどに接続するための通信デバイスとしてモデム１４ａが接続されており、外部のネットワークに同公衆通信回線を介して接続し、ソフトウェアやデータをダウンロードして導入可能となっている。この例ではモデム１４ａにて電話回線を介して外部にアクセスするようにしているが、ＬＡＮアダプタを介してネットワークに対してアクセスする構成とすることも可能である。
【００３７】
ここで、外部補助記憶装置のうち、フロッピーディスクドライブ１３ａやＣＤ−ＲＯＭドライブ１３ｃについては、記録媒体自身が交換可能であり、この記録媒体に画像データが記録された状態で供給されることにより、画像入力デバイスの一手段ともなりうる。また、モデム１４ａやＬＡＮアダプタを介してネットワークにアクセスした場合、このネットワークから画像データが供給されることもあり、このような場合も画像入力デバイスの一手段となりうる。
【００３８】
この他、コンピュータ本体１２の操作用にキーボード１５ａやポインティングデバイスとしてのマウス１５ｂも接続され、さらに、マルチメディア対応のためにスピーカ１８ａやマイク１８ｂを備えている。
【００３９】
一方、画像出力デバイスとして、ディスプレイ１７ａとカラープリンタ１７ｂとを備えている。ディスプレイ１７ａについては水平方向に８００画素と垂直方向に６００画素の表示エリアを備えており、各画素毎に上述した１６７０万色の表示が可能となっている。むろん、この解像度は一例に過ぎず、６４０×４８０画素であったり、１０２４×７６８画素であるなど、適宜、変更可能である。
【００４０】
また、印刷装置としてのカラープリンタ１７ｂはインクジェットプリンタであり、ＣＭＹＫの四色の色インクを用いて記録媒体たる印刷用紙上にドットを付して画像を印刷可能となっている。画像密度は３６０×３６０ｄｐｉや７２０×７２０ｄｐｉといった高密度印刷が可能となっているが、階調表限については色インクを付すか否かといった２階調表現となっている。色インクについては、かかる四色のものに限らず、色の薄いライトシアンやライトマゼンタを加えた六色によってドットの目立ちを低減させることも可能であるし、インクジェット方式に限らずカラートナーを利用した静電写真方式などを採用することも可能である。
【００４１】
このような画像入力デバイスを使用して画像を入力しつつ、画像出力デバイスに表示あるいは出力するため、コンピュータ本体１２内では所定のプログラムが実行されることになる。そのうち、基本プログラムとして稼働しているのはオペレーティングシステム（ＯＳ）１２ａであり、このオペレーティングシステム１２ａにはディスプレイ１７ａでの表示を行わせるディスプレイドライバ（ＤＳＰ  ＤＲＶ）１２ｂとカラープリンタ１７ｂに印刷出力を行わせるプリンタドライバ（ＰＲＴ  ＤＲＶ）１２ｃが組み込まれている。これらのドライバ１２ｂ，１２ｃの類はディスプレイ１７ａやカラープリンタ１７ｂの機種に依存しており、それぞれの機種に応じてオペレーティングシステム１２ａに対して追加変更可能である。また、機種に依存して標準処理以上の付加機能を実現することもできるようになっている。すなわち、オペレーティングシステム１２ａという標準システム上で共通化した処理体系を維持しつつ、許容される範囲内での各種の追加的処理を実現できる。
【００４２】
この基本プログラムとしてのオペレーティングシステム１２ａ上でアプリケーション１２ｄが実行される。アプリケーション１２ｄの処理内容は様々であり、操作デバイスとしてのキーボード１５ａやマウス１５ｂの操作を監視し、操作された場合には各種の外部機器を適切に制御して対応する演算処理などを実行し、さらには、処理結果をディスプレイ１７ａに表示したり、カラープリンタ１７ｂに出力したりすることになる。
【００４３】
かかるコンピュータシステム１０では、画像入力デバイスであるスキャナ１１ａなどで写真などを読み取って画像データであるとか、デジタルスチルカメラ１１ｂで撮影した画像データであるとか、ビデオカメラ１１ｃで撮影した動画をキャプチャした画像データなどをハードディスク１３ｂなどに記憶可能である。この画像データはディスプレイ１７ａで表示して鑑賞するのみならず、写真画質に近づいたカラープリンタ１７ｂで印刷すれば写真と同様に手軽に扱うことができる。この場合、画像データのメリットとしての修整処理をフォトレタッチソフトなどのアプリケーション１２ｄで実行しておけば、撮影時の不備も解消されてより美しい印刷物を得られる。すなわち、デジタルスチルカメラ１１ｂで撮影した画像データをハードディスク１３ｂに保存し、フォトレタッチソフトで修整し、カラープリンタ１７ｂで印刷させることが可能であり、この意味で各アプリケーション１２ｄとコンピュータシステム１０とが有機一体化してデータ処理手段Ａ１を構成する。
【００４４】
上述したようにディスプレイ１７ａへの表示はディスプレイドライバ１２ｂがコンピュータ本体１２に装着されたディスプレイカードを制御して行うものの、どの位置に何を表示すべきかはアプリケーション１２ｄによって決定され、当該アプリケーション１２ｄは同ディスプレイ１７ａに対して操作入力画面を表示しつつキーボード１５ａやマウス１５ｂによる操作入力を受け付ける。この場合、操作入力画面と処理画面とを区別して表示するようにしており、また、操作入力画面では操作入力に対応する表示を行い、処理画面では処理毎に応じた表示を行うことになる。従って、ディスプレイ１７ａやディスプレイドライバ１２ｂが主に表示手段Ａ２を構成しつつ、アプリケーション１２ｄや各種のハードウェア構成が手続流れ表示手段Ａ３や処理内容表示手段Ａ４を構成することになる。
【００４５】
なお、これらのソフトウェアは、ハードディスク１３ｂに記憶されており、コンピュータ本体１２にて読み込まれて稼働する。また、導入時にはＣＤ−ＲＯＭであるとかフロッピーディスクなどの媒体に記録されてインストールされる。従って、これらの媒体はデータ処理プログラムを記録した媒体を構成する。
【００４６】
図３は以上のようなデータ処理プログラムによる制御内容をブロック化して表しており、各種の総合的な制御を行うメイン制御部６０と、各種の共通的な制御を行う共通機能部２０と、画像データの管理を行うフィルムデータ管理部３０と、各画像データについて画像修整を実行する画像修整制御部４０と、一連の印刷処理を実行するＤＰＥ印刷制御部５０から構成されている。
【００４７】
メイン制御部６０は、後述する各種フローを適宜選択して実行するものであり、その他、他に分類されない各種の機能も実行する。そのうちの一つが環境設定部６０ａであり、本データ処理プログラムにおいて共通の設定などを設定情報ファイル６０ｂとしてハードディスク１３ｂ上に記録し、適宜他の機能部から読み出し可能としている。この設定情報ファイル６０ｂは、各種のデフォルト指定、例えば、新たな画像データの取り込み元の指定であるとか、後述するような印刷処理で次回に引き継ぐためのページのパラメータであるといったような類のものが記録されることになる。
【００４８】
共通機能部２０については、図４にその詳細ブロックを示しており、そのいくつかは他の機能部からも共通して呼び出せるようになっている。例えば、画像選択部２０ａはサムネイル作成部２０ｉにて各画像データについてサムネイルを作成させつつ画像表示部２０ｍにてディスプレイ１７ａに複数のサムネイル画像を表示させ、その状態でキーボード１５ａやマウス１５ｂによる選択操作を受け付けることによって各画像についての選択の有無を入力する。むろん、選択操作に伴って表示を変えたりする場合には適宜画像表示部２０ｍにて表示を変更させるし、選択の結果は他の機能部に受け渡すことになる。また、表示指定部２０ｂは画面上での表示を指定するものであり、ＧＵＩ操作に応じてウィンドウ領域の大きさなどを変更したときに対応して画像の表示を適宜指定することになる。
【００４９】
ファイル編集部２０ｃは画像データの保存領域を適宜変更する操作などを実行し、検索部２０ｄは画像ファイルと併せて管理されるパラメータに基づいてコメントであるとか日付などによって検索を実行するものである。一括コメント部２０ｅでは複数の画像データに対するコメント付けを一括して処理するものであり、一括整理部２０ｆは画像データやパラメータを一括して同時に処理するものである。
【００５０】
画像処理部２０ｇと画像編集部２０ｈは、画像修整制御部４０が主に画像処理の自動実行をするにあたって各種のパラメータを生成するのに対して、実際に画像処理を実行する部分であり、さらに手動にて指定される画像処理も実行する。この処理結果は原則的に仮のデータとして扱われ、実際の処理時にオリジナル画像データに変更を加える指定がなされている場合は元の画像データに反映される。また、表示や処理時間の便宜上から必ずしも元の画像データに基づいて実行する必要はなく、操作中はサムネイルの画像データに基づいて画像処理部２０ｇや画像編集部２０ｈが各種の処理を実行する。
【００５１】
画像入力部２０ｊは画像データの記憶領域がファイル編集部２０ｃによって既に登録されている場合に、画像処理や印刷処理の際に同画像データを読み込んでくる処理を行い、また、画像データとして各種のデータフォーマットが存在するのに対応し画像出力部２０ｋは形式を変換して出力するといった処理を実行する。
【００５２】
次に、フィルムデータ管理部３０について説明する。図５は、本フィルムデータ管理部３０が管理する画像データである画像ファイル３０ａと、パラメータを含む写真データ３０ｂと、画像データのグループ化において利用するフィルムデータ３０ｃの管理構造をブロック図により示している。ここで、画像データはコンピュータシステム１０においてファイルとして扱われることにより、画像ファイルとして示しているし、パラメータはそれぞれの画像データに対応する各種の情報とともに写真データ３０ｂとして示している。また、フィルムデータ３０ｃは画像データをグループ化して管理するための情報であり、図６にはフィルムメタファとして示している。ここで写真データ３０ｂのデータベースは、コンピュータシステム１０上における書き換え可能な記憶領域に保存されるものとし、また、複数存在するフィルムメタファに関わらず一定の領域に保存される。むろん、物理的に複数のデータベースとすることは可能であるが、要は必ずしも画像データが現実に記憶されている媒体に形成される必要はないということである。
【００５３】
同図では、画像ファイルの物理的記録形態を同図の左方に示しており、オペレーティングシステム１２ａによってフォルダ単位で階層構造が形成され、各フォルダの中に画像ファイルを記憶するようになっている。本実施形態における画像データのグループ化は、物理的にはまさにこのフォルダ単位の階層構造を利用しており、このフォルダ単位で情報を付加して管理している。すなわち、フィルムデータ３０ｃを構成する最低限の情報は、任意につけることが可能なフィルム名、このフォルダの物理的配置情報としての実際の記憶領域を示すリンク先、作成した日付、コメント、媒体属性、媒体ラベル、フィルム属性、収容画像ファイル数などである。
【００５４】
また、図に示すように各フォルダは管理上においてフィルムのパトローネと同視しており、別の視点からすれば実際の記憶領域を個別に意識することなくパトローネとして同一視してしまうので、エリアス管理にも近くなっている。なお、パトローネには物理的な記憶領域が交換可能な媒体であるか否かを示すマークを表示して利用者に分かりやすくしている。すなわち、画像ファイルがＣＤ−ＲＯＭによって供給されているような場合は交換可能であるが、この場合はＣＤ−ＲＯＭを交換することによって実際のＣＤ−ＲＯＭドライブ１３ｃに装着されていない場合もあり得る。このような場合にそのＣＤ−ＲＯＭが装着されていなければ非表示としまうのではなく、フィルムデータ３０ｃとして登録した以上は同データに基づいて表示が行われるし、その場合には交換可能なマークがあることによって操作者はＣＤ−ＲＯＭをセットしなければ参照できないことが容易に理解できるようになる。
【００５５】
この場合、交換可能な媒体についてはそのラベル名をフィルム名と一致させるようにすると分かりやすいし、印刷時にはそのラベル名を印刷することになるので後に画像データを探しやすくなる。また、フィルム名とは別にラベル名を付けて管理できるようにしても良い。
【００５６】
一方、交換可能な媒体については利用者が別途に画像データを削除したり追加することもあり得る。また、実際にはオリジナルを保存しておいて別の媒体に複写し、複写した媒体では画像データに修整を加えてしまったりすることもある。このような場合、フィルムデータ３０ｃとして保存している状態と少しでも異なるようであればその旨を警告表示し、承諾があったときに限ってその媒体についての現状に基づいてフィルムデータを更新するようにしても良い。
【００５７】
この例では、交換可能なマークを示しているだけであるが、このようなマークを適宜変更して情報を表示するようにしても良い。例えば、交換可能な記憶領域であるとしてそのＣＤ−ＲＯＭが装着されている場合と装着されていない場合とでマークを変えても良い。また、ネットワークで複数人が共有する記憶領域に画像データが保存されている場合には、各人で勝手に書き換えてしまうと収拾がつかなくなってしまうため、ネットワークドライブを表すマークを表示するようにしても良い。むろん、ネットワークドライブであれば書き込み可能であっても書き込み不能の扱いをするようにしても良い。なお、マークを変化させるのではなく、パトローネ自体の形状を変更するようにしても良い。
【００５８】
写真データ３０ｂの具体的構成は、図５および図６に示している。ここで、索引情報はファイル名とファイル日時とファイルサイズと撮影日時とから構成されており、画像ファイルを縮尺したサムネイルデータをサムネイルとして表示している。コメントは各画像ファイル毎に付すことができるようにしており、上述した索引情報やサムネイルデータが画像データに基づいてほぼ一義的に決定される情報であるのに対して、コメントは任意の情報を設定することができる。
【００５９】
本データ処理プログラムでは、メイン制御部６０による一連の画像データ処理として同時プリント処理を一つの機能としており、図７はこの同時プリント処理における画面表示を示している。この場合、メイン制御部６０は共通機能部２０の表示指定部２０ｂに対して適宜指令を出力してディスプレイ１７ａ上に同画面を表示させつつ、キーボード１５ａやマウス１５ｂの操作入力を受け付けることになる。
【００６０】
この同時プリント処理画面においては、画面上の左寄り部分が操作表示エリアＳ１となっており、ここには一連のデータ処理の流れに沿ってタブが表示されている。この例では「写真の入力」、「写真の修整」、「プリント指定」、「印刷」というタブが表示され、それぞれの間に下向きの「△」マークを表示している。むろん、データ処理は「写真の入力」処理、「写真の修整」処理、「プリント指定」処理、「印刷」処理という順序を経て、所望の画像データを綺麗に印刷できるようになる。従来でも、同様の処理を実行することは当然に可能であったのだが、その場合には自分自身で手続の流れを想定して作業を進めていかなければならない。
【００６１】
すなわち、１：ファイルメニューの中から画像データをオープンし、２：ツールメニューの中から画像修整操作を指定して必要なパレットなどを表示させつつ所望の修整を行った後で保存し、３：ファイルメニューの中の印刷レイアウトで印刷したいフォーマットを指定し、４：ファイルメニューの中の印刷プレビューで確認し、５：最後にファイルメニューの中の印刷を実行する。むろん、複数の画像データを印刷したい場合には、この処理の中でファイルメニューの中から印刷対象を決定するという作業が必要になる。
【００６２】
これに対して、デジタルスチルカメラ１１ｂで撮影した写真を印刷しようとするのは通常の写真撮影の場合と比較するとＤＰＥにて同時プリントを指定することに対応するわけであり、一連のデータ処理を同時プリントの作業に対応させて進行させるようにし、アプリケーションに精通していなくても一連のデータ処理を実行可能となる。
【００６３】
コンピュータにおける画面表示の一例として、タブ表示自体は利用されている。例えば、表計算ソフトなどでは、関連する複数のシートをまとめて保存することができる。この場合、画面上で複数のシートを表示すると見にくくなるため、一度に一枚のシートだけを表示するが、関連するものがあることを示すために表示している枠の縁部にタブを表示し、重なり合っている他のシートについてはタブだけが見えているようにするものである。
【００６４】
しかしながら、このようなタブはあくまでも同じデータ処理に対する表示が重なり合っていることを示すに過ぎない。従って、印刷しようとする場合であるとか、画像処理しようとする場合というように、異なるデータ処理が次のステップとして用意されていることを示すものではない。そして、次のデータ処理へ移行しようとすれば上述したようにファイルメニューを駆使して選択することになり、分かりにくさは変わらない。
【００６５】
これに対して図７に示すようにタブ表示が一連のデータ処理の流れに沿って並べられている場合には、タブは単にシートの内容を示すだけでなく、利用者に対して一連の作業を全て表示しつつ、現在のデータ処理の位置づけを極めて容易に理解させることができる。そして、タブ表示自体は当該操作表示エリアＳ１に隣接する主表示エリアＳ２と区切り無く連結しているのであたかも主表示エリアＳ２の一部が操作表示エリアＳ１まで伸びているように見え、当該タブ表示に示されるデータ処理の内容が主表示エリアＳ２に表示されているものとすぐに理解できる。  
【００６６】
また、あくまでもタブ表示は一連のデータ処理のうちの任意の処理を選択するために表示されているので、行き来も可能である。例えば、「写真の入力」後、「写真の修整」を行なったところ、もう少し写真を増やしたいと思えば再び「写真の入力」に戻ればよい。従って、単に進行中のデータ処理のステータスを受け身的に表示するだけでもない。
【００６７】
また、各種の設定処理を行うにあたり、その設定内容を記憶するようにし、次回の実行時には前回の設定内容をデフォルト値として読み出して設定するようにしている。従って、毎回指定する必要のない処理、例えば、プリント指定などの処理については適宜飛ばせるステップを飛ばせるようにしている。この逆に、まだ設定したことのない処理については飛ばせなくしつつ、警告表示をするようにしても良い。また、焼き増し、インデックス、アルバム、ポストカード、シールなどの各ＤＰＥコースではそれぞれ設定を保存するようにしている。このため、各ＤＰＥコースで選択した用紙選択などが他形態の印刷処理の設定内容へ反映されてしまうことはなく、予想外の用紙が選択されてしまったまま処理を飛ばしてしまうといった悪影響を及ぼすこともない。
【００６８】
このように単にタブ表示を行うのではなく、タブ表示をデータ処理の流れに沿って並べて表示することにより、初めて利用者に対して分かりやすい操作環境を提供することができる。この意味で、操作表示エリアＳ１と主表示エリアＳ２での表示は図７に示すものに限定されるものでないことは明らかであり、図８や図９に示すような変形例も当然に可能となる。図８に示すものは、操作表示エリアにタブ表示を行うが、このタブ表示はデータ処理の流れに沿って配置されているものの直接には順番の表示が無く、その左横に流れを示す大きな矢印を表示し、タブ表示と対応する位置に順序を示す「１」、「２」、「３」の数値表示を示している。これにより、タブ表示は異なるデータ表示を意味するのではなく、データ処理の流れを示すことが一目瞭然となる。
【００６９】
また、図９に示すものは、操作表示エリアＳ１を主表示エリアＳ２の上部に設け、データ処理の流れに沿って左から右に向けてタブ表示を行っている。また、この例では矢印のかわりに順序の流れを示すために電車の表示を行っており、マーカーとしての電車が左から右に移行するに従ってデータ処理が進行していくことが一目瞭然となるようにしている。
【００７０】
ところで、操作表示エリアＳ１に表示される複数個のタブ表示のうち、現在実行中のデータ処理に対応するものだけが主表示エリアＳ２での表示との間に切れ目が無くなっており、主表示エリアＳ１の一部が側方に飛び出したタブ状の表示となっている。従って、利用者はかかる表示を持って現在実行中のデータ処理を判別できるが、それだけでは分かりづらい場合も多い。このため、本実施形態においては、図７に示すように現在実行中のデータ処理のタブ表示については他のタブ表示よりも大きくした強調表示を行っている。大きく表示すると、他のタブ表示よりも浮き上がっているように見えるため、実行中のデータ処理をより簡易に判別することができる。
【００７１】
むろん、強調表示はこのようなタブ表示自体を大きく表示する場合のみならず、太字にしたり、反転表示をするようにしても良い。また、図１０に示すように実行中のタブ表示についてはデータ処理の簡易なタイトルのみならず、処理内容などの補足説明を表示できる程度に枠を大きく表示しても良い。このようにすれば、データ処理のタイトルだけでは分かりにくい初心者であっても何をすべきであるのか、何を実行しているのかということがよく分かるようになる。
【００７２】
なお、一連のデータ処理を表示する場合の操作表示エリアＳ１の表示と対応するものとして、図１１にはメインメニューでの表示を示している。この場合の操作表示エリアＳ１に対応するスペースにはタブ表示に近似するものの単に短冊状の枠部を複数個並べて表示しているだけであり、それぞれの短冊状の枠部の一つを選択してクリックすると、個別に一連のデータ処理が開始されることになる。図７に示すものはこのメインメニューでの表示における最上段の短冊状の枠部に記載されている「同時プリント」の処理に対応し、この「同時プリント」を選択した場合には、図７に示すように「写真の入力」処理、「写真の修整」処理、「プリント指定」処理、「印刷」処理という一連のデータ処理が実行されることになる。また、メインメニューで三段目の枠部に記載された「焼き増し」を選択した場合には、図１２に示すように「写真の指定」処理、「プリント指定」処理、「印刷」処理という一連のデータ処理が実行されることになる。
【００７３】
図７の画面表示に戻ると、この同時プリント処理画面では「写真の入力」という表示をしているが、実質的にはフィルムデータ管理部３０による画像データ管理を行うことになる。表示エリアの内の左寄り部分は操作表示エリアＳ１となっているが、残りの表示エリアは主表示エリアＳ２となり、さらにそのうちの左寄り部分が画像データをグループ化して表示するためのグループ表示領域Ｓ２１となっており、残りの部分はあるグループが選択された場合にそのグループに属する画像データをサムネイルで表示するための画像表示領域Ｓ２２となっている。
【００７４】
このグループ表示領域Ｓ２１は上述したようなフォルダ単位に対応したフィルムメタファを表示するための領域であり、フィルムのパトローネを枠として表示しつつ、その中にフィルム名とコメントと日付と収容画像ファイル数を表示している。むろん、いわゆる右クリックによって各フィルムメタファのプロパティを表示させれば、フィルム名、リンク先、日付、コメント、媒体属性、媒体ラベル、フィルム属性、収容画像ファイル数といった全ての情報を表示することになる。また、グループ表示領域Ｓ２１はＧＵＩを使用して適宜表示領域を増減させることができ、グループ表示領域に表示しきれなくなればスクロール表示を付加したり、縮小表示するようになる。むろん、表示された複数のフィルムメタファの内のいずれか一つを選択操作することにより、画像表示領域Ｓ２２には選択されたフィルムメタファに対応するフォルダ内に保存された画像ファイル３０ａがサムネイル表示されることになる。
【００７５】
また、上述したようパトローネは脱着可能な媒体に対応させることも可能であるが、もし非装着状態のパトローネを指定した場合にはこの媒体を装着するようにメッセージを表示してもよい。この場合、フィルムメタファで表示するフィルム名を表示して「ＸＸＸ：フィルム装着して下さい」というように表示することも可能であり、利用者はフィルム名として管理できるので煩わしくなくなる。
【００７６】
なお、本実施形態においては、オペレーティングシステム１２ａが採用しているフォルダの階層構造を利用して画像データの管理を行っているため、操作者がコンピュータシステム１０を直に操作してフォルダ内に画像ファイル３０ａを収容することも可能であり、この場合にはフォルダ内の画像ファイル３０ａの有無と写真データ３０ｂとにずれが生じる場合があるが、この場合にはフォルダ内の画像ファイル３０ａの有無を優先して写真データ３０ｂを適宜増減させることにする。
【００７７】
この意味でもフィルムメタファに対応するフォルダ内に存在する画像ファイル３０ａに基づいて対応する写真データ３０ｂがあるか否かを判断し、写真データ３０ｂがあればそのサムネイルデータを使用して表示を行うし、写真データ３０ｂがなければサムネイル作成部２０ｉにてサムネイルデータを作成後、表示を行う。写真自体は縦長あるいは横長であり、一つのサムネイル表示領域は両方を収容可能な正方形であるとともにその枠外には連番と実際のファイル名を表示している。この例では、実際のファイル名を表示するようにしているが、各写真データ３０ｂに含まれるコメントの１行目を表示するようにしても良い。このとき、コンピュータシステム１０にステータスバーを設ける場合にはコメントかファイル名のうち、サムネイル表示領域に表示させなかった側をステータスバーに表示するようにして補完するようにしてもよい。また、サムネイルの画像に対して右クリックをしたときに、画像ファイルの大きさ、所在、日付などといった残りの情報を表示するようにしてもよい。
【００７８】
このような状態で、操作者はグループ表示領域Ｓ２１に表示されるパトローネ内の表示を見てグループを判断しつつその画像データを画像表示領域Ｓ２２に表示させ、さらに印刷対象としたい画像データを選択する。この選択操作は画像選択部２０ａによって受け付けられる。選択された画像データについてはそのサムネイル表示領域の枠部分の色を変えて表示することにより、選択の有無が容易に判断できる。そして、選択結果は以後の「写真の修整」はもとより、「プリント指定」を経て「印刷」の処理での出力対象として反映されることになる。なお、これらの場合に各処理で参照されるのは物理的配置情報であり、選択対象とした画像データを仮領域に移動させて実際の処理を行うわけではない。
【００７９】
「写真の入力」では新たにフィルムを作成する作業を行う。新たにフィルムを作成するというのはコンピュータ内に一つのパトローネを作成し、そこに画像ファイルを詰め込むという処理である。例えば、ある日曜日に家族で外出したとして、デジタルスチルカメラ１１ｂで何枚かの写真撮影を行ってきたとする。この画像データを登録するにあたり、先ず、パトローネを作成する。図７には、その名称としてデジタルスチルカメラの名前と行き先を組み合わせて「カラリオ松本にて」とした場合の一例を示している。画面上の操作は主表示エリアＳ２内における上部の「新しいフィルム」というコマンドボタンをクリックすると、そのフィルム名の入力を促し、入力されたフィルム名でパトローネを表示する。この時点ではまだ画像データはデジタルスチルカメラ１１ｂ内に保存されており、転送しなければならない。この例では、専用ケーブルを接続しつつ転送ソフトで実行する「転送ソフト」のコマンドボタンと、フラッシュメモリカードなどの記録メディアから転送する「記録メディア」のコマンドボタンと、専用ケーブルを接続しつつドライバはＴＷＡＩＮ形式を利用するための「ＴＷＡＩＮ」のコマンドボタンを用意してあり、近時の転送方法をほぼカバーしている。このような入力方法は一度決めたら変化することがないのが通常であり、「いつもの入力」というようなコマンドボタンを用意しておき、設定しておいた入力方法を実行するようにしても良い。
【００８０】
転送ソフトで入力する場合には使い勝手を向上させる処理を採用している。まず、転送ソフトはデジタルスチルカメラ１１ｂとともに提供されることが多いので、起動のためにはショートカットを作成しておく必要がある。すなわち、転送ソフトを起動させるためにそのプログラムファイルの格納位置を登録するとともに、当該プログラムファイルを実行して保存フォルダを登録する。すると、当該転送ソフトを起動させたときには必ず同保存フォルダに画像データが入力されるようになる。そして、この転送ソフトの終了時には、同保存フォルダにセーブされている画像データを上述したパトローネに対応するフォルダに移動させる。このようにすることにより、外部の転送ソフトを実行しつつも所望のフォルダに画像データを保存できるようになる。
【００８１】
一方、予め画像データだけを転送しておいたり、交換可能な記録メディアに記録されている画像データを利用しようとする場合には、「参照フィルム」のコマンドボタンをクリックし、ハードディスク１３ｂを始めとして各種の記録媒体に記録されている画像データを登録する。
【００８２】
「写真の入力」において印刷したい画像データを選択したとして、操作表示エリアでの表示に依れば次の処理が「写真の修整」であることが一目瞭然である。この「写真の修整」では選択された画像データだけについて画像修整を実行することができる。マウス１５ｂで操作表示エリアＳ１の「写真の修整」のタブをクリックすると、図１３に示す画面表示を行ない、画像修整のデータ処理を実行する。画像修整は、対象となる画像データを選択した状態で図４に示す画像処理部２０ｇあるいは図８に示す画像修整制御部４０が実行する。画像修整は操作者の好みに応じて明るさやコントラストを変化させたり、特定の色成分を強調するといった色強調を行う手動画像調整や、画像データを構成する各画素について統計的集計処理を経て自動的に修整を行う自動画像修整が可能である。
【００８３】
図１３において主表示エリアＳ２にはグループ表示領域Ｓ２１とともに画像表示領域Ｓ２２が表示されているとともに、上部の余白部分には具体的な画像修整処理を示すコマンドボタンを用意してある。この例では画像修整処理として、画像データに変更を加えて明るさや色調を変更するものの他、トリミングや回転や白黒変換やセピア調への変換というように概ね表示にのみ利用する程度の画像処理も用意されており、「手動画像修整」のコマンドボタンをクリックしたときには、さらに図１４に示す画面表示を行って「明るさとコントラスト」についての修整であるのか、「色強調」の修整であるのかを個別に選択できる。むろん、これらについては画像処理部２０ｇが対応する画像処理を実行することになる。むろん、キーボード１５ａやマウス１５ｂを利用して所望の側を選択することにより、修整処理を実行する。
【００８４】
また、このようなコマンドボタンほど明確ではないが、熟練者にとってはメニュー操作の方が直感的であり、図１５に示すようなメニュー操作で手動画像調整を選択することも可能である。この場合も、画像処理部２０ｇが対応する画像処理を実行することになる。同図に示すメニュー操作では、画像修整をクリックしつつドロップダウンメニューの手動画像修整を選択すると、「明るさ・コントラスト」についての修整か「色強調」の修整かを選択可能となる。そして、いずれかの手動画像修整を選択した場合には、修整度合いをＧＵＩを利用して指示することになる。すなわち、ＧＵＩ表示をマウス１５ｂで操作して手動修整の結果を反映させる。
【００８５】
一方、自動画像修整は画像修整制御部４０が実行する。より具体的には、画像特徴抽出部４０ａが画像データに基づいて画像の特徴を抽出すると、修整情報作成部４０ｂが修整に必要なパラメータを作成し、修整指定部４０ｃは同パラメータを使って上述した画像処理部２０ｇに対して実際の処理を実行させることになる。
【００８６】
図１６はコマンドボタンを操作した場合の画面表示の一例を示しており、図１７はメニュー操作で自動画面修整を行う際の表示画面を示している。また、図１８は自動画像修整を行う場合の主表示エリアＳ２での表示を示している。同図に示すように、選択された画像データについて修整前の画像をサムネイルで上段に表示し、上述した自動修整を施した修整後の画像をサムネイルで下段に表示している。操作者は両者を見て比較し、どちらが良いか選択する。むろん、選択は好みの側のサムネイルをマウス１５ｂでクリックすることにより行え、クリックした側については表示指定部２０ｂが枠部分を反転表示するなどして判別できるようにする。なお、デフォルトは修整前を選択状態としておき、マウスでクリックした側についてだけ修整後のものを選択状態としても良いし、殆どの場合は画質を修整されたものについて選択されるであろうとの想定のもとでデフォルトを修整後のものを選択状態とするようにしても良い。
【００８７】
これらの場面において、最下部には「実行」のコマンドボタンと、「キャンセル」のコマンドボタンが用意されており、「実行」のコマンドボタンをマウスでクリックすると、各画像データごとに用意されている写真データ３０ｂの修整情報が更新される。なお、自動画像修整は新たに画像データを登録する際に実行するようにしてもよい。一般的には自動画像修整を施す方がより美しい印刷結果を得られるであろうから、初心者にとっては自分で画像修整を実行させなくても済むことになり、操作が簡易になる。
【００８８】
図１９は、そのような場合の画面表示の一例を示している。同図に示すものでは、操作として「写真の入力」の前に「フィルムの選択」という処理を加えるとともに、「写真の入力」の後は「プリント指定」の処理を実行するようにしている。図７に示すもののように「写真の入力」の処理で新しいフィルムを選択できるようにしつつ、写真を選択するようにしても良いが、図１９に示すものでは最初に「フィルムの選択」の画面表示を行うことにより、パトローネ単位での写真データの選択であるとか新しいフィルムの選択を先に実行して分かりやすくしている。また、この画面表示では処理を進めたり戻したりするための指示を行うために画面右寄り部分の上段に「前のステップ」と「次のステップ」というコマンドボタンを用意し、「前のステップ」を実行させると処理を戻し、「次のステップ」を実行させると処理を先に進めるようにしている。さらに、画面上段部分には各段階の処理の簡単な説明を表示できるようにしている。例えば、「フィルム選択」の段階では「フィルムを選んで次に進んで下さい。新しいフィルムは『フィルムの追加』で作れます」と表示している。
【００８９】
この他、画像修整は広い意味で画像データの表示に反映される各種の処理を含むものであり、広義の意味で画像のトリミングや回転も含めている。トリミングはテレカのサイズで統一させて印刷したいというときには有用であり、必要度は高い。このため、トリミングの操作では目印となるトリミング指定枠を常時表示するようにし、また、対象画像に対して一括実行もできるようにしている。トリミングによっては縦横比にずれが生じることもあるため、縦横比を固定するか否かを選択できるようにし、デジタルスチルカメラの場合の３：４であるとか、銀塩写真の２：３であるとか、パノラマ写真の１：３といった縦横比を用意しておくとよい。なお、このようにして一括してトリミングを実行し、印刷を行って統一したサイズで印刷したとしても、オリジナルの画像データを変形しているわけではないので容易に元に戻せるというメリットがある。
【００９０】
「写真の修整」の次に行われるのは「プリント指定」の処理である。既に、「写真の入力」と「写真の修整」を経ており、印刷したい画像データの選択と、それに施すべき画像処理が選択されている。この「プリント指定」では選択されている画像データをどのようなレイアウトで印刷するかを指定する。
【００９１】
図２０はこの「プリント指定」と、次の「印刷」の処理を実行するＤＰＥ印刷制御部５０の具体的構成を示している。印刷画像指定部５０ａは上述したようにして選択された画像データの指定を受け継ぐものであり、フレーム指定部５０ｂとレイアウト指定部５０ｃとによって「プリント指定」の処理を実行し、プリント指定部５０ｄによる制御の下で印刷スタイル作成部５０ｅと印刷画像処理部５０ｆとで実際の印刷データを生成する。
【００９２】
図２１は「プリント指定」での操作表示エリアＳ１と主表示エリアＳ２での表示を示しており、主表示エリアＳ２中の上段部分には横方向にスクロール可能な表示エリアを配してレイアウトのパターンを表示可能となっている。同図においては、「４枚ずつのレイアウト」、「アルバム印刷」、「シール印刷」のレイアウトが表示されている。むろん、これ以外にもレイアウトのパターンを実装することは可能である。また、オプションとして、切断する際の位置の目安となるトンボを印刷したり、日付を印刷したり、タイトルを印刷させるのを選択できるようにチェックボックスを設けている。
【００９３】
日付は写真データ３０ｂとして記録している撮影日時が標準的に利用され、画像のフチに印刷するようにしている。ただし、日付機能の付いた写真のように画像内部にオレンジ色の撮影日を重ね合わせるようにしてもよい。むろん、オレンジ色である必要はないが、デジタルスチルカメラ１１ｂなどで撮影した画像データは別に撮影日時の情報を備えていることから画像中には日付が表示されない。しかしながら、従来の写真であればオレンジ色で日付が焼き込まれていることの方が多く、一般的には馴染んだ表示である。従って、ソフトウェア処理で８セグメントＬＥＤ表示の日付や、「９８．０７．１５」といった文字画像を形成し、論理演算を利用して画像データに重ね合わせるようにすればよい。むろん、操作画面上では「日付（枠外）」、「日付（枠内）」というようにしていずれかを選択できるようにすればよい。
【００９４】
タイトルは写真データ３０ｂとして記録されているコメントの１行目を利用し、画像のフチに印刷する。また、フィルム名も用紙のフチの部分に印刷するようにしても良く、特に、アルバム印刷であるとかシール印刷の際には、後でフィルム名がすぐに分かって再度印刷したいときに利用しやすい。さらに、用紙については「Ａ４」、「Ｂ５」、「シール」などに対応しており、これらについてはいずれかだけを排他的に選択できるラジオボタンを設けてある。
【００９５】
画像データによっては縦横の構成ドット比が異なるものがある。一方、写真の感覚で印刷を実行しようとすると、出来上がりサイズとしてＬ版であるとかＥ版であるというような指定が想定される。この場合、必ずしも縦横比が一致するとは限らず、横寸法を基準として縦寸法を調整したり、縦寸法を基準として横寸法を調整することが可能である。また、このときにあくまでも短辺側を基準とし、長辺側で調整するようにしても良い。すなわち、短辺をＬ版、Ｅ版、カードサイズ、キャビネ版などと指定し、横サイズは縦横比によって指定する。
【００９６】
印刷する際には、カラープリンタ１７ｂの機種に応じて印刷データを生成させる必要があるから、下段左方にはプリンタ装置の選択表示エリアを設けてある。ここでプリンタ装置を選択することにより、それぞれに対応した設定情報が読み出され、上述した色ずれを修整したり、出力解像度を一致させることになる。写真画質と呼ばれるカラープリンタ１７ｂの場合は、用紙も専用の光沢紙を利用するが、個別にカラープリンタ１７ｂのプロパティを開かなくてもこの画面表示で光沢紙を利用する旨の指示を与えるようにしても良い。
【００９７】
レイアウトの中には「アルバム印刷」のレイアウトが用意されており、「アルバム詳細」のコマンドボタンをクリックすると主表示エリアＳ２には図２２に示す操作画面が表示される。この表示画面においても上段部分には横方向にスクロール可能な表示エリアを配してアルバムのパターンを表示可能となっており、この例ではＡ４用紙を横二列縦四段に配して市松様に画像を印刷するものと、左側半分に縦四段に配して画像を印刷するものと、上下に二段に分けて画像を印刷するものとを示している。むろん、左頁と右頁あるいは表面と裏面とでレイアウトを変えるようにしても良いし、左右が逆のレイアウトを生成しても良い。例えば、３列のアルバムスタイルを選んだ場合、左右（表裏）の頁でスタイル反転する指定や、開始頁を左頁とするか右頁とするかの指定を行なえるようにするとともに、そのレイアウトに関連して余白やパンチ穴などの目印も左頁と右頁で反転させることになる。
【００９８】
また、アルバム印刷用のオプションとして、上述したコメントを印刷したり、日付を印刷したり、ページタイトルを印刷させるのを選択できるようにチェックボックスを設けてあるとともに、アルバム印刷においては日をおいて順次印刷していくことから通しのページ番号を印刷できるようにページ番号の指定覧も設けてある。なお、このページ番号は前回のアルバム印刷の後続ページ番号を自動的にセットするようにしても良い。そして、この表示通りで良ければ「ＯＫ」のコマンドボタンをクリックすればよいし、気に入らなければ「キャンセル」のコマンドボタンをクリックすればよい。なお、アルバム印刷では印刷物をそのまま綴じて使うようにしており、そのために左／右に必要な余白の大きさを指定できるようにしておくとともに、パンチ穴の目印位置であるとかパンチ用のセンター位置の目印を印刷するか否かを選択できるようにしておいても良い。
【００９９】
同時プリントの最後の処理は「印刷」であるが、この主表示エリアＳ２には図２３に示すように現在指定されているプリンタ装置の機種と、印刷する用紙のサイズと、必要な枚数を含めて確認用のメッセージを表示し、さらに印刷を開始させるための「実行」のコマンドボタンと、「キャンセル」のコマンドボタンと、印刷イメージを確認するための「印刷プレビュー」のコマンドボタンを用意してある。むろん、この状態で「実行」のコマンドボタンをクリックすれば印刷が開始される。この場合は印刷プレビューが任意的に行われるようにしているが、「実行」のコマンドボタンを選択した後で必ず印刷イメージを表示し、その時点で最終的に確認できるようにしておいても良い。この印刷イメージの表示は最終的な注意を促すためだけであれば簡易の表示で足りる。例えば、プリンタとしてカラープリンタを選択していない場合には白黒のイメージで表示することにより、最終的に白黒のイメージのままで印刷されてしまうことを有効に防止できるようになる。
【０１００】
印刷イメージの表示でも任意の頁にジャンプしたり、最初や最後の頁にジャンプできるようにしている。光沢紙は未だ高価であり、最後の頁に余白ができてしまうのはもったいない。例えば、１頁に６枚の画像を印刷する場合に最後の一葉に１枚だけしか画像が割り当てられなかったとしたら、５枚の画像を追加するか１枚の画像の指定を取り消すことによって半端な頁が無くなり、コストを低減できるからである。
【０１０１】
また、印刷イメージを簡易に表示するという意味では、「実行」のコマンドボタンをクリックする以前における印刷の各ステップ内で常に表示できるようにしても良い。この場合には「最初の頁を表示する」、「１−２頁を表示する」、「最後の頁を表示する」、「表示しない」というようにイメージパターンをユーザーが選択できるようにしても良い。その選択で最後の頁を表示するようにしておけば、印刷の最後の段階において写真を増減するのではなく、予め最後の頁を意識して写真の枚数を決定することもできるからである。
【０１０２】
上述したＤＰＥ印刷制御部５０の印刷画像指定部５０ａは上述したようにして選択された画像データの指定を受け継ぐものであり、フレーム指定部５０ｂとレイアウト指定部５０ｃとによって「プリント指定」の処理を実行し、プリント指定部５０ｄによる制御の下で印刷スタイル作成部５０ｅと印刷画像処理部５０ｆとで実際の印刷データを生成する。一般に画像データはＲＧＢの多階調表示で表されている反面、印刷はＣＭＹＫの二階調表示が多い。このため、印刷画像処理部５０ｆは上述した指定に応じた画像処理を実行させた上でＲＧＢ→ＣＭＹＫの色空間の変更ととともに多階調→二階調の階調変換処理も併せて実行する。
【０１０３】
一方、図２４と図２５はメイン制御部６０が上述した各種の制御を実行するための概略のフローチャートを示している。図２４は図１１に示すメインメニューでの表示を示している。ステップ１００では主に操作表示エリアＳ１での表示を行う。上述したように、メインメニューの段階では操作表示エリアＳ１は一連のデータ処理を並べて表示するわけではなく、単に実行可能なデータ処理群のタイトルを表示しているに過ぎない。従って、タブ表示は主表示エリアＳ２に連結するものではない。この例では、「同時プリント」〜「焼き増し」という三つのデータ処理群についてそれぞれ個別に短冊状の枠内に表示している。これに対し、「プリントサービス」については一回り小さな枠部を密接して並べて表示し、それぞれの枠内に個別のデータ処理群を表示している。一回り小さな枠部とすることによって各データ処理群は「プリントサービス」と関連の深いものであることが分かる。この表示は、「プリントサービス」を選択したときに初めて表示するようにしても良い。すなわち、最初は「同時プリント」〜「プリントサービス」という四つの枠部だけを表示しておき、「プリントサービス」を選択したら複数の小枠を表示して次の選択を促す。そして、いずれかの小枠が選択されたらそのデータ処理群を実行する。このようにすれば、メインメニューで多くの処理が表示されてどれを選択して良いか分かりにくくなる事態を防止できる。むろん、メニューを多層の階層化してしまうことも可能ではあるが、メニューの階層化は非熟練者には分かりにくく、これを防止できる点でもメリットがある。
【０１０４】
ステップ１１０では、主表示エリアＳ２での表示を行う。メインメニューの段階では主表示エリアＳ２に何を表示するかは自由であり、例えば、起動時には製品紹介の画面であるとか好みの写真画像を表示し、一連のデータ処理群を起動した後でメインメニューに戻ってくるときには別の画面表示とするというようにしても良い。図１１に示す例では、パトローネによるフィルム選択と画像表示を行うため、グループ表示領域Ｓ２１の表示と、画像表示領域Ｓ２２の表示を実施する。そして、ステップ１２０にて操作表示エリアＳ１で表示したいずれのデータ処理を実行するのかという操作入力を待機することになる。
【０１０５】
ところで、図１１に示すメインメニューにおいては、総合的な画面に適切なコマンドボタンを配置するようにしている。この例では、「コメント」、「探す」、「ビューワ」というように、個々のデータ処理を選択しないでも行えるコマンドボタンを配置している。すなわち、一つ一つの画像を選択してコメント付けを行うとか（「コメント」コマンドボタン）、コメントに基づいて検索するとか（「探す」コマンドボタン）、サムネイルで表示されている画像を大きく表示して確認する（「ビューワ」）という処理をメインメニューの状態で行える。この他、現在表示されているパトローネ内の画像データの全部を選択したり（「全選択」コマンドボタン）、全ての選択を解除する（「全解除」コマンドボタン）こともできるようになっている。
【０１０６】
ステップ１２０にて操作入力を待機し、何らかの操作が入力されたらステップ１３０にて選択されたデータ処理群のルーチンを起動する。図２５は上述した同時プリントの場合の一連のデータ処理を示している。図７に示すように、同時プリントの処理においては、「写真の入力」、「写真の修整」、「プリント指定」、「印刷」というデータ処理がこの順番で行われることになるが、各ステップ毎に現在実行中のデータ処理を表すデータ処理用ステータスフラグを設定し、ステップ２００〜ステップ２６０という共通の処理ルーチンにおいてこのデータ処理用ステータスフラグを参照して処理を実行する。このため、ステップ２００では、まず、データ処理用ステータスフラグに設定すべきステータスを取得する。このステータスはステップ２４０にて操作入力を受け付けたときにステップ２６０にて取得するものであり、最初の起動時には最初のデータ処理がデフォルトで設定される。従って、この例では「写真の入力」がステータスとしてデータ処理用ステータスフラグに設定される。
【０１０７】
「写真の入力」がデータ処理用ステータスフラグに設定されているものとして、ステップ２１０では操作表示エリアＳ１の表示を行うが、このときには「写真の入力」を強調表示するタブ表示として各タブを描画する。また、ステップ２２０では「写真の入力」において必要な主表示エリアＳ２の表示を行う。
【０１０８】
続くステップＳ２３０では「写真の入力」のデータ処理において必要な各種のデータ処理を実行する。ＧＵＩ表示では、必ずしもデータ処理が完全に終わった状態で次の操作入力を待機するというわけではなく、ステップ２４０にて操作入力を待機しつつも操作入力がなければステップ２３０にてデータ処理を実行するというのは、同じデータ処理を繰り返すというわけではない。必要に応じてデータ処理を実行し、待機すべきときは待機するということを表しているに過ぎない。
【０１０９】
ここにおいて、ステップ２１０で操作表示エリアＳ１の表示を行い、ステップ２４０で操作入力を待機し、ステップ２６０にてデータ処理ステータスを設定することにより、ステップ２３０にて対応するデータ処理を実行させる処理の流れが手続流れ表示手段Ａ３の一部を構成するといえるし、ステップ２２０とステップ２３０にて主表示エリアＳ２の表示を行ったり所定のデータ処理を実行する処理が処理内容表示手段Ａ４を構成するといえる。
【０１１０】
ステップ２４０での操作入力待機は主に操作表示エリアＳ１でデータ処理を選択する操作入力に対応しており、「トップページに戻る」のコマンドボタンと、「終了」のコマンドボタンを選択した場合にのみこの「同時プリント処理」を終了し、それ以外の操作が入力されたときは上述したようにステップ２６０にて対応するデータ処理ステータスを変更し、ステップ２００以下の処理を繰り返す。むろん、この場合において一連のデータ処理のうち、どの段階へ移行しても良いので、先の処理あるいは後の処理というようにどれでも構わない。
【０１１１】
なお、この場合において、「写真の入力」からいきなり「印刷」を選択することもあり得るが、過去に「プリント指定」を行っているのであれば同じ設定として「印刷」へ進んでも良いし、未実施のデータ処理を実行するように注意を促すようにしても良い。
【０１１２】
このように、デジタルスチルカメラ１１ｂで撮影した画像データを用いて所望の印刷を行うというようにいくつかのデータ処理を連続して実行していかなければならない場合、ファイルメニューなどを駆使して必要な順序でデータ処理を選択していくのは非熟練者にとって困難であるが、ディスプレイ１７ａの表示エリアを操作表示エリアＳ１と主表示エリアＳ２とに区分した上、操作表示エリアＳ１には必要な順序に並べたタブ表示で各データ処理を表示するようにしつつ、対応するデータ処理を隣接する主表示エリアに表示するようにしたので、初心者でも間違えることなく簡単に一連のデータ処理を実行して所望の印刷結果を得ることができるようになる。
【図面の簡単な説明】
【０１１３】
【図１】本発明の一実施形態にかかるデータ処理装置のクレーム対応図である。
【図２】同データ処理装置の具体的ハードウェアのブロック図である。
【図３】同データ処理装置の機能ブロック図である。
【図４】共通機能部のブロック図である。
【図５】フィルムデータ管理部の機能ブロック図である。
【図６】同フィルムデータ管理部が管理するデータ構造を示す概略説明図である。
【図７】同時プリントの処理の操作画面を示す図である。
【図８】操作表示エリアの変形例を示す図である。
【図９】操作表示エリアの他の変形例を示す図である。
【図１０】同時プリントの処理の操作画面の変形例を示す図である。
【図１１】メインメニューの操作画面を示す図である。
【図１２】焼き増しの処理の操作画面を示す図である。
【図１３】同時プリントの処理における写真の修整の操作画面を示す図である。
【図１４】手動画像調整を選択した場合の操作画面を示す図である。
【図１５】手動画像調整の処理を行う場合の操作画面を示す図である。
【図１６】自動画像調整を選択した場合の操作画面を示す図である。
【図１７】自動画像調整の処理を行う場合の操作画面を示す図である。
【図１８】自動画像修整の処理を行う場合の操作画面を示す図である。
【図１９】自動画像修整をデフォルトで実行するようにした場合の操作画面を示す図である。
【図２０】ＤＰＥ印刷制御部の機能ブロック図である。
【図２１】プリント指定の処理を行う場合の操作画面を示す図である。
【図２２】アルバム印刷の処理を行う場合の操作画面を示す図である。
【図２３】印刷の処理を行う場合の操作画面を示す図である。
【図２４】メインメニューのフローチャートである。
【図２５】同時プリント処理のフローチャートである。
【符号の説明】
【０１１４】
１０…コンピュータシステム，１１ａ…スキャナ，１１ｂ…デジタルスチルカメラ，１１ｃ…ビデオカメラ，１２…コンピュータ本体，１２ａ…オペレーティングシステム，１２ｂ…ディスプレイドライバ，１２ｃ…プリンタドライバ，１２ｄ…アプリケーション，１３ａ…フロッピーディスクドライブ，１３ｂ…ハードディスク，１３ｃ…ＣＤ−ＲＯＭドライブ，１４ａ…モデム，１５ａ…キーボード，１５ｂ…マウス，１７ａ…ディスプレイ，１７ｂ…カラープリンタ，１８ａ…スピーカ，１８ｂ…マイク，２０…共通機能部，２０ａ…画像選択部，２０ｂ…表示指定部，２０ｃ…ファイル編集部，２０ｄ…検索部，２０ｅ…一括コメント部，２０ｆ…一括整理部，２０ｇ…画像処理部，２０ｈ…画像編集部，２０ｉ…サムネイル作成部，２０ｊ…画像入力部，２０ｋ…画像出力部，２０ｍ…画像表示部，３０…フィルムデータ管理部，３０ａ…画像ファイル，３０ｂ…写真データ，３０ｃ…フィルムデータ，４０…画像修整制御部，４０ａ…画像特徴抽出部，４０ｂ…修整情報作成部，４０ｃ…修整指定部，５０…ＤＰＥ印刷制御部，５０ａ…印刷画像指定部，５０ｂ…フレーム指定部，５０ｃ…レイアウト指定部，５０ｄ…プリント指定部，５０ｅ…印刷スタイル作成部，５０ｆ…印刷画像処理部，６０…メイン制御部，６０ａ…環境設定部，６０ｂ…設定情報ファイル
【図１】
2006294015.tif 000003
【図２】
2006294015.tif 000004
【図３】
2006294015.tif 000005
【図４】
2006294015.tif 000006
【図５】
2006294015.tif 000007
【図６】
2006294015.tif 000008
【図７】
2006294015.tif 000009
【図８】
2006294015.tif 000010
【図９】
2006294015.tif 000011
【図１０】
2006294015.tif 000012
【図１１】
2006294015.tif 000013
【図１２】
2006294015.tif 000014
【図１３】
2006294015.tif 000015
【図１４】
2006294015.tif 000016
【図１５】
2006294015.tif 000017
【図１６】
2006294015.tif 000018
【図１７】
2006294015.tif 000019
【図１８】
2006294015.tif 000020
【図１９】
2006294015.tif 000021
【図２０】
2006294015.tif 000022
【図２１】
2006294015.tif 000023
【図２２】
2006294015.tif 000024
【図２３】
2006294015.tif 000025
【図２４】
2006294015.tif 000026
【図２５】
2006294015.tif 000027